(57)【特許請求の範囲】
【請求項１】
データの同期伝送を行い伝送方式が互いに異なる２つのネットワークの間で、第１のネットワークを介して接続された端末から受信したデータを第２のネットワークに送信する送信装置において、
第１のネットワーク上の各端末間で時間の同期を行うために第１のネットワーク上で伝送される同期時刻情報を抽出する同期時刻情報抽出手段と、
第１のネットワーク上で伝送される同期パケットを抽出する同期パケット抽出手段と、
前記時刻情報抽出手段で抽出された同期時刻情報に同期時刻情報であることを識別する識別情報を付加する識別情報付加手段と、
前記識別情報付加手段で識別情報が付加された同期時刻情報と同期パケットとをそれぞれ別のパケット、若しくは１つのパケットとして生成するパケット生成手段と
を備えたことを特徴とする送信装置。
【請求項２】
前記第１のネットワークが有線ネットワークであり、
前記第２のネットワークが無線ネットワークであること
を特徴とする請求項１記載の送信装置。
【請求項３】
データの同期伝送を行い伝送方式が互いに異なる２つのネットワークの間で、第２のネットワーク上を伝送するデータを受信して第１のネットワークを介して接続された端末に送信する受信装置において、
第２のネットワークを介して伝送されてきた、第１のネットワークに係る同期時刻情報を抽出する他ネットワーク時刻情報抽出手段と、
前記他ネットワーク時刻情報抽出手段で抽出された同期時刻情報に同期して駆動されるタイマー手段と、
第２のネットワークを介して伝送されてきた同期パケットから、同期データに付加されている時間情報を抽出する他ネットワーク時間情報抽出手段と、
前記タイマーと前記他ネットワーク時間情報抽出手段から抽出された時間情報により、第２のネットワークを介して伝送されてきた同期パケット内の同期データの第１のネットワークに係る時間軸を復元する時間軸復元手段と
を備えることを特徴とする受信装置。
【請求項４】
前記第１のネットワークが有線ネットワークであり、
前記第２のネットワークが無線ネットワークであること
を特徴とする請求項３記載の受信装置。
【請求項５】
データの同期伝送を行い伝送方式が互いに異なる２つのネットワークの間で、第１のネットワークを介して接続された端末から送信されたデータを第２のネットワークに送信する送信装置および第２のネットワーク上を伝送するデータを受信して第３のネットワークを介して接続された端末に送信する受信装置を備えたネットワークにおいて、
前記送信装置が第１のネットワーク上の各端末間で時間の同期を行うために第１のネットワーク上で伝送される同期時刻情報を抽出する同期時刻情報抽出手段と、
第１のネットワーク上で伝送される同期パケットを抽出する同期パケット抽出手段と、
前記時刻情報抽出手段で抽出された同期時刻情報に同期時刻情報であることを識別する識別情報を付加する識別情報付加手段と、
前記識別情報付加手段で識別情報が付加された同期時刻情報と同期パケットとをそれぞれ別のパケット、若しくは１つのパケットとして生成するパケット生成手段と
を備え、
前記受信装置が第２のネットワークを介して伝送されてきた同期時刻情報を抽出する他ネットワーク時刻情報抽出手段と、
前記他ネットワーク時刻情報抽出手段で抽出された同期時刻情報に同期して駆動されるタイマー手段と、
第２のネットワークを介して伝送されてきた同期パケットから、同期データに付加されている時間情報を抽出する他ネットワーク時間情報抽出手段と、
前記タイマーと前記他ネットワーク時間情報抽出手段から抽出された時間情報により、第２のネットワークを介して伝送されてきた同期パケット内の同期データの時間軸を復元する時間軸復元手段と
を備えたことを特徴とするネットワーク。
【請求項６】
前記第１のネットワークと前記第３のネットワークが有線ネットワークであり、
前記第２のネットワークが無線ネットワークであること
を特徴とする請求項５記載のネットワーク。
【請求項７】
データの同期伝送を行い伝送方式が互いに異なる２つのネットワークの間で、第１のネットワークを介して接続された端末から送信されたデータを第２のネットワークに送信する送信方法において、
第１のネットワーク上の各端末間で時間の同期を行うために第１のネットワーク上で伝送される同期時刻情報を抽出し、
第１のネットワーク上で伝送される同期パケットを抽出し、
抽出された同期時刻情報に同期時刻情報であることを識別する識別情報を付加し、
識別情報が付加された同期時刻情報と同期パケットとをそれぞれ別のパケット、若しくは１つのパケットとして生成し、
第２のネットワークでの同期周期に同期させて第２のネットワーク上へ送信すること
を特徴とする送信方法。
【請求項８】
前記第１のネットワークが有線ネットワークであり、
前記第２のネットワークが無線ネットワークであること
を特徴とする請求項７記載の送信方法。
【請求項９】
データの同期伝送を行い伝送方式が互いに異なる２つのネットワークの間で、第２のネットワーク上を伝送するデータを受信して第１のネットワークを介して接続された端末に送信する受信方法において、
第２のネットワーク上を伝送されてきた第１のネットワークに係る同期時刻情報を抽出し、
抽出された同期時刻情報にタイマーを同期させ、
第２のネットワークを介して伝送されてきた同期パケットから、同期データに付加されている時間情報を抽出し、
同期時刻情報に同期させたタイマーと抽出した時間情報とに基づき、第２のネットワークを介して伝送されてきた同期パケット内の同期データの第１のネットワークに係る時間軸を復元すること
を特徴とする受信方法。
【請求項１０】
前記第１のネットワークが有線ネットワークであり、
前記第２のネットワークが無線ネットワークであること
を特徴とする請求項９記載の受信方法。
【発明の詳細な説明】
【０００１】
【発明の属する技術分野】
本発明は、送受信装置および送受信方法並びにネットワークに係り、特に、伝送方式が互いに異なる２つのネットワークにおける中継方法に関する。
【０００２】
【従来の技術】
映像や音声のように送信側と受信側で何らかの時間軸の同期が必要な同期データを伝送する規格にＩＥＥＥ１３９４ Ｈｉｇｈ Ｐｅｒｆｏｒｍａｎｃｅ Ｓｉｇｎａｌ Ｂｕｓ規格（以下「１３９４バス」と称す）があり、ｉ．ＬＩＮＫ、ＦｉｒｅＷｉｒｅ、またはＤＶ（Ｄｉｇｉｔａｌ Ｖｉｄｅｏ）端子として機器に搭載されている。
【０００３】
１３９４バス上において、例えば、ＭＰＥＧ２ Ｔｒａｎｓｐｏｒｔ Ｓｔｒｅａｍ（ＴＳ）での同期データを伝送するために、１３９４バス上の全ての機器（ノード）に対してサイクルスタートパケットと呼ばれる特別なパケットで時刻情報を伝送し、１３９４バス上の各機器のタイマー(サイクルタイマー)の同期を取る。１３９４バス上で同期データを伝送する仕組みは、ＩＥＣ６１８８３規格で規定されている。この規格では、サイクルタイマーを基準にしてＭＰＥＧ２−ＴＳパケットが機器のアプリケーションから１３９４インタフェースに入力してくる時点での時間をサンプリングし、それぞれのＭＰＥＧ２−ＴＳパケットにサンプリングされた時間情報にオフセット値を加算してソースパケットヘッダとして付加し、それにＣＩＰ（Ｃｏｍｍｏｎ Ｉｓｏｃｈｒｏｎｏｕｓ Ｐａｃｋｅｔ）ヘッダとアイソクロナスパケットヘッダ（Ｉｓｏｃｈｒｏｎｏｕｓ Ｐａｃｋｅｔ Ｈｅａｄｅｒ）を付加し、アイソクロナスパケットとして伝送する。
【０００４】
受信側では、アイソクロナスパケットからＭＰＥＧ２−ＴＳパケットと付加されているソースパケットヘッダを取り出し、ソースパケットヘッダで指示される時間からＭＰＥＧ２−ＴＳパケット同士の相対的な間隔(時間軸)を復元する。こうすることで、送信側のアプリケーションでのＭＰＥＧ２−ＴＳパケットの時間間隔と同じ間隔で受信側のアプリケーションへとＭＰＥＧ２−ＴＳパケットを出力することが可能となる。つまり、１３９４バス上は、固定ディレイラインと等価になる。
【０００５】
この１３９４バス同士を中継(ブリッジ)する規格としてＩＥＥＥ１３９４．１がある。この規格はあくまで１３９４バス同士を中継する規格であり、それぞれの１３９４バスを独立して扱い、１３９４バスから他の１３９４バスへの中継時には、中継装置が、相手先の情報、送り先の情報、１３９４バスの時間軸の修正などの必要な処理を行うような規格となっている。
【０００６】
例えば、送信端末と受信端末とのクロック信号の同期を合わせる技術として、特開２０００−３３２８０２号公報には、以下の技術が示されている。即ち、リアルタイムデータを送信する送信端末は、パケット生成部で形成するパケットに、当該パケットの送信時の同期カウンタのカウンタ値をタイムスタンプとして付加して送信する。リアルタイムデータを受信する受信端末は受信したパケットから付加されているタイムスタンプを抽出する。このタイムスタンプと受信端末におけるパケット受信時の同期カウンタのカウント値とに基づいて、送信端末で用いられたクロック信号と受信端末が用いるクロック信号とのずれ分を検出し、このずれ分に応じて、受信端末のＶＣＯ（電圧制御型可変周波数発振器）の発信周波数を制御することによりクロック信号の同期を合わせる。
【０００７】
一方、無線ネットワークでの同期データの伝送に関しては、日本のワイヤレス１３９４（ＡＲＩＢ ＳＴＤ−Ｔ７１）規格や欧州のＥＴＳＩ ＢＲＡＮ（Ｅｕｒｏｐｅａｎ Ｔｅｌｅｃｏｍｍｕｎｉｃａｔｉｏｎｓ Ｓｔａｎｄａｒｄｓ Ｉｎｓｔｉｔｕｔｅ Ｂｒｏａｄｂａｎｄ Ｒａｄｉｏ Ａｃｃｅｓｓ Ｎｅｔｗｏｒｋｓ）で規格化されており、双方の規格とも実装された機器のアプリケーションからは１３９４バスとして処理可能な仕組みになっている。
【０００８】
同期データ可能な無線ネットワークでの同期データ伝送方法は、１３９４バスでの仕組みと同様であるが、１３９４バスでのアイソクロナスサイクル（Ｉｓｏｃｈｒｏｎｏｕｓ Ｃｙｃｌｅ）（１２５μｓ）の代わりに、４ｍｓ(ワイヤレス１３９４)や２ｍｓ（ＥＴＳＩ ＢＲＡＮ）といった比較的時間の長い「フレーム」と呼ばれる期間で各機器間の時刻情報の同期を行う。このフレーム期間の中に、１３９４バスでのアイソクロナスパケットの構造そのままで複数のパケットが格納されて無線ネットワーク上を伝送される。
【０００９】
【発明が解決しようとする課題】
しかしながら、上述の従来技術においては、１３９４バスから同期伝送可能な無線ネットワークに同期データを中継して伝送する場合、１３９４バスと無線ネットワークの両方で同期伝送のための同じような処理を行う必要があったため、比較的ビット数の大きいタイマーや時間情報を同期データに付加する回路が２重に必要である問題がある。
【００１０】
また、無線ネットワークでは、１３９４バスと比較して、フレーム期間が２ｍｓや４ｍｓと大きく、そのため伝送ジッタも大きくなり，そのため伝送ジッタを吸収するために容量が大きいバッファが受信側に必要となる問題があった。
【００１１】
そこで、本発明は、送信側で同期データ伝送のための処理が簡略化でき、受信側の装置が簡略化できる送受信装置および送受信方法並びにネットワークを提供することを目的とする。
【００１２】
【課題を解決するための手段】
上記目的を達成するために、請求項１に係る発明の送信装置は、データの同期伝送を行い伝送方式が互いに異なる２つのネットワークの間で、第１のネットワークを介して接続された端末から受信したデータを第２のネットワークに送信する送信装置において、第１のネットワーク上の各端末間で時間の同期を行うために第１のネットワーク上で伝送される同期時刻情報を抽出する同期時刻情報抽出手段と、第１のネットワーク上で伝送される同期パケットを抽出する同期パケット抽出手段と、前記時刻情報抽出手段で抽出された同期時刻情報に同期時刻情報であることを識別する識別情報を付加する識別情報付加手段と、前記識別情報付加手段で識別情報が付加された同期時刻情報と同期パケットとをそれぞれ別のパケット、若しくは１つのパケットとして生成するパケット生成手段とを備えたことを特徴とする。
【００１３】
請求項２に係る発明の送信装置は、請求項１において、前記第１のネットワークが有線ネットワークであり、前記第２のネットワークが無線ネットワークであることを特徴とする。
【００１４】
請求項３に係る発明の受信装置は、データの同期伝送を行い伝送方式が互いに異なる２つのネットワークの間で、第２のネットワーク上を伝送するデータを受信して第１のネットワークを介して接続された端末に送信する受信装置において、第２のネットワークを介して伝送されてきた同期時刻情報を抽出する他ネットワーク時刻情報抽出手段と、前記他ネットワーク時刻情報抽出手段で抽出された同期時刻情報に同期して駆動されるタイマー手段と、第２のネットワークを介して伝送されてきた同期パケットから、同期データに付加されている時間情報を抽出する他ネットワーク時間情報抽出手段と、前記タイマーと前記他ネットワーク時間情報抽出手段から抽出された同期時刻情報により、第２のネットワークを介して伝送されてきた同期パケット内の同期データの時間軸を復元する時間軸復元手段とを備えたことを特徴とする。
【００１５】
請求項４に係る発明の受信装置は、請求項３において、前記第１のネットワークが有線ネットワークであり、前記第２のネットワークが無線ネットワークであることを特徴とする。
【００１６】
請求項５に係る発明のネットワークは、データの同期伝送を行い伝送方式が互いに異なる２つのネットワークの間で、第１のネットワークを介して接続された端末から送信されたデータを第２のネットワークに送信する送信装置および第２のネットワーク上を伝送するデータを受信して第３のネットワークを介して接続された端末に送信する受信装置を備えたネットワークにおいて、前記送信装置が第１のネットワーク上の各端末間で時間の同期を行うために第１のネットワーク上で伝送される同期時刻情報を抽出する同期時刻情報抽出手段と、第１のネットワーク上で伝送される同期パケットを抽出する同期パケット抽出手段と、前記時刻情報抽出手段で抽出された同期時刻情報に同期時刻情報であることを識別する識別情報を付加する識別情報付加手段と、前記識別情報付加手段で識別情報が付加された同期時刻情報と同期パケットとをそれぞれ別のパケット、若しくは１つのパケットとして生成するパケット生成手段とを備え、前記受信装置が第２のネットワークを介して伝送されてきた同期時刻情報を抽出する他ネットワーク時刻情報抽出手段と、前記他ネットワーク時刻情報抽出手段で抽出された同期時刻情報に同期して駆動されるタイマー手段と、第２のネットワークを介して伝送されてきた同期パケットから、同期データに付加されている時間情報を抽出する他ネットワーク時間情報抽出手段と、前記タイマーと前記他ネットワーク時間情報抽出手段から抽出された同期時刻情報により、第２のネットワークを介して伝送されてきた同期パケット内の同期データの時間軸を復元する時間軸復元手段とを備えたことを特徴とする。
【００１７】
請求項６に係る発明のネットワークは、請求項５において、前記第１のネットワークと前記第３のネットワークが有線ネットワークであり、前記第２のネットワークが無線ネットワークであることを特徴とする。
【００１８】
請求項７に係る発明の送信方法は、データの同期伝送を行い伝送方式が互いに異なる２つのネットワークの間で、第１のネットワークを介して接続された端末から送信されたデータを第２のネットワークに送信する送信方法において、第１のネットワーク上の各端末間で時間の同期を行うために第１のネットワーク上で伝送される同期時刻情報を抽出し、第１のネットワーク上で伝送される同期パケットを抽出し、抽出された同期時刻情報に同期時刻情報であることを識別する識別情報を付加し、識別情報が付加された同期時刻情報と同期パケットとをそれぞれ別のパケット、若しくは１つのパケットとして生成し、第２のネットワークでの同期周期に同期させて第２のネットワーク上へ送信することを特徴とする。
【００１９】
請求項８に係る発明の送信方法は、請求項７において、前記第１のネットワークが有線ネットワークであり、前記第２のネットワークが無線ネットワークであることを特徴とする。
【００２０】
請求項９に係る発明の受信方法は、データの同期伝送を行い伝送方式が互いに異なる２つのネットワークの間で、第２のネットワーク上を伝送するデータを受信して第１のネットワークを介して接続された端末に送信する受信方法において、第２のネットワーク上を伝送されてきた同期時刻情報を抽出し、抽出された同期時刻情報にタイマーを同期させ、第２のネットワークを介して伝送されてきた同期パケットから、同期データに付加されている時間情報を抽出し、第２のネットワークを介して伝送されてきた同期パケット内の同期データの時間軸を復元することを特徴とする。
【００２１】
請求項１０に係る発明の受信方法は、請求項９において、前記第１のネットワークが有線ネットワークであり、前記第２のネットワークが無線ネットワークであることを特徴とする。
【００２２】
このような構成により、本発明は、送信側で同期データ伝送のための処理が簡略化でき、受信側の装置が簡略化できる送受信装置および送受信方法並びにネットワークを提供することが可能となる。
【００２３】
【発明の実施の形態】
以下、本発明に係る実施の形態を、図面を参照して説明する。図１は本発明に係る実施の形態による送受信装置を用いたネットワークシステムを示す。このネットワークシステムでは、第１のネットワークにＩＥＥＥ１３９４規格を、第２のネットワークとしてワイヤレス１３９４のようにフレーム期間毎に同期パケットの伝送保証を行う仕組みを持つ無線ネットワークを適応し、双方のネットワーク上での同期データ伝送規格としてＩＥＣ６１８８３規格を適用する場合について動作の説明を行う。また、伝送する同期データは、ＭＰＥＧ２−ＴＳパケットを用いて説明する。このネットワークシステムはｉ．ＬＩＮＫ端子などの１３９４バス端子を備えた機器同士（例えば、デジタルテレビとデジタルレコーダ）を有線の１３９４バスで接続する代わりに、無線ネットワークで接続する例である。
【００２４】
図１のネットワークシステムでは、デジタルテレビ（ＤＴＶ）１が送信元となり、ＭＰＥＧ２−ＴＳパケットを受信先のデジタルレコーダ（Ｄ−ＶＨＳ）２に送信する。ＤＴＶ１は第１の１３９４バス３を介して送信装置４に接続されている。この送信装置４は第１の１３９４バス３と接続するための１３９４バスインターフェースと無線ネットワーク５と接続するための無線ネットワークインターフェースを備える。この送信装置４の詳細は後述する。
【００２５】
一方、受信先のＤ−ＶＨＳ２は第２の１３９４バス６を介して受信装置７に接続される。この受信装置７も第２の１３９４バス６と接続するための１３９４バスインターフェースと無線ネットワーク５と接続するための無線ネットワークインターフェースを備える。この受信装置７の詳細は後述する。
【００２６】
第１の１３９４バス３、第２の１３９４バス６は、上述の第１のネットワークであり、１３９４バス規格で定義されたネットワークである。また、無線ネットワークは、第１のネットワークと異なる伝送方式であって、上述の第２のネットワークであり、同期伝送の仕組みを持つ無線ネットワークである。
【００２７】
このネットワークにおける伝送の同期としては以下の通りである。ＤＴＶ１が第１の１３９４バス３上に送信するサイクルスタートパケット中の時刻情報とＭＰＥＧ２−ＴＳに付加されるソースパケットヘッダ中の時間情報とは、図１中の「第１の１３９４バス３の同期系」と示したように、受信装置７の内部処理まで同じ値が用いられ、一方、「第２の１３９４バス６の同期系」と示したように、第２の１３９４バス６上では、第１の１３９４バス３とは異なった時刻情報、時間情報を用いてＭＰＥＧ２−ＴＳパケットが伝送される。その詳細については、後述の送信装置４、受信装置７の説明において行う。
【００２８】
次に、送信装置４の詳細について、図２を用いて説明する。送信装置４は第１の１３９４バス３と接続される第１の１３９４バスインターフェース部（第１の１３９４バスＩ／Ｆ部）１１を備える。この第１の１３９４バスＩ／Ｆ部１１は、第１の１３９４バスＩ／Ｆ部１１で受信された１３９４バス上で時刻情報を伝送するスタートパケットから時刻情報を抽出する時刻情報抽出部１２に接続される。この時刻情報抽出部１２は、抽出された時刻情報が時刻情報であることを識別するタグを付加するタグ付加部１３に接続される。
【００２９】
この送信装置４は、第１の１３９４バスＩ／Ｆ部１１で受信されたアイソクロナスパケットを抽出する同期パケット抽出部１４を有する。この同期パケット抽出部１４で抽出された同期パケットとタグ付加部１３でタグが付された時刻情報とをパケット化するパケット生成部１５が設けられる。さらに、パケット生成部１５は無線ネットワーク５に接続するための第１の無線ネットワークインターフェース部（第１の無線ネットワークＩ／Ｆ部）１６に接続される。この第１の無線ネットワークＩ／Ｆ部１６は同期伝送の機能を備える。
【００３０】
この送信装置４の動作について、図３を参照して説明する。図３（ａ）は送信装置４の入力となる第１の１３９４バス３上を伝送される信号を模式的に示す。図３（ａ）に示される様に、この１３９４バス３上を伝送してくるサイクルスタートパケット２１とアイソクロナスパケット（同期パケット）２２とを第１の１３９４バスＩ／Ｆ部１１で受信する。
【００３１】
このアイソクロナスパケット２２は図３（ｃ）に示すように、映像情報などのコンテンツを含むＭＰＥＧ２−ＴＳパケット２５、ソースパケットヘッダ２６、ＣＩＰ（Ｃｏｍｍｏｎ Ｉｓｏｃｈｒｏｎｏｕｓ Ｐａｃｋｅｔ）ヘッダ２７、アイソクロナスパケットヘッダ（Ｉｓｏｃｈｒｏｎｏｕｓ Ｐａｃｋｅｔ Ｈｅａｄｅｒ）２８から構成される。ソースパケットヘッダ２６はサイクルタイマーを基準にしてＭＰＥＧ２−ＴＳパケットがＤＴＶ１のアプリケーションからＤＴＶ１の信号出力部に設けられた１３９４インターフェースに入力される時点での時間をサンプリングし、それぞれのＭＰＥＧ２−ＴＳパケットにサンプリングされた時間情報にオフセット値を加算したものである。
【００３２】
ＣＩＰヘッダ２７は、ＩＥＣ６１８８３規格でフォーマットが定義されており、ＩＥＥＥ１３９４規格上でＢＳデジタルチューナでのＭＰＥＧ２−ＴＳパケットやＤＶカメラのＤＶフォーマットデータを伝送する場合に必ず用いられるヘッダで、伝送するデータの種類によって一部構造が変わる。このＣＩＰヘッダ２７はＩＥＥＥ１３９４でのアイソクロナスパケットのデータ領域の先頭に位置し、そのサイズは２ｑｕａｄｌｅｔ（６４ｂｉｔ）である。
【００３３】
アイソクロナスパケットヘッダ２８は、ＩＥＥＥ１３９４規格でフォーマットが定義されたヘッダであって、アイソクロナスパケットの先頭に必ず位置し、そのサイズは１ｑｕａｄｌｅｔ（３２ｂｉｔ）である。
【００３４】
時刻情報抽出部１２は、サイクルスタートパケット２１をそのまま、またはサイクルスタートパケット２１内の時刻情報のみを抽出する。抽出された時刻情報に対して、受信装置７で時刻情報であることを識別できる様に、タグ付加部１３でタグを付加する。ここで、サイクルスタートパケット２１が送信されてくる期間（ＩＥＥＥ１３９４規格では１２５μｓ）を示す値をタグと一緒に付加することも可能である。
【００３５】
一方、アイソクロナスパケット２２は同期パケット抽出部１４で抽出される。ここで、無線ネットワーク５上へ伝送する必要があるアイソクロナスパケット２２のみを抽出することも考えられる。パケット生成部１５では、抽出されたサイクルスタートパケット２１とアイソクロナスパケット２２とが順序が入れ替わらないようにパケット化される。ここで、サイクルスタートパケット２１と次のサイクルスタートパケット２１との間にアイソクロナスパケット２２がない場合には、サイクルスタートパケット２１のみでパケットを構成する。また、アイソクロナスパケット２２がＭＰＥＧ２−ＴＳパケットを含まない（ＩＥＥＥ１３９４規格でのエンプティ−パケット)の場合でも同様にパケット化を行う。
【００３６】
第１の無線ネットワークＩ／Ｆ部１６では、無線ネットワーク５のプロトコルに則った形式でパケット生成部１５の出力をパケット化し図３（ｂ）で示されるように、フレームシンク２３を各フレーム期間２４の先頭に付加して無線ネットワーク５上に送信する。さらにフレームシンク２３を用いて無線ネットワーク５上の同期が取れるように処理も行う。尚、フレームシンク２３とサイクルスタートパケット２１の周期は同期している必要はない。
【００３７】
上述のように、送信装置４に時刻情報抽出部１２と同期パケット抽出部１４とタグ付加部１３とを新たに付加したことで、第１の１３９４バス３の送信側で行われたネットワーク内の時刻合わせの時刻情報や同期データに付加された時刻情報を、無線ネットワーク５上での伝送にそのまま移行可能となり、第１の１３９４バス３の送信側で行われた処理を再び無線ネットワークへの伝送装置で行う必要をなくすことができて、送信側で同期データ伝送のための処理が簡略化できる。
【００３８】
次に受信装置７の構成について図４を参照して説明する。受信装置７は無線ネットワーク５と接続するための第２の無線ネットワークインターフェース部（第２の無線ネットワークＩ／Ｆ部）３１を備える。また、受信装置７は送信装置４から送信される時刻情報を抽出する他ネットワーク時刻情報抽出部３２、抽出された時刻情報を用いて第１の１３９４バス３上の時刻に同期されたタイマー部３３（タイマー３３は受信装置７内の時間軸復元部３６での基準時刻を示す）、送信装置４で再パケット化されて送信されるアイソクロナスパケット２２からＭＰＥＧ２−ＴＳに付加されているサイクルスタートパケット２１を抽出する他ネットワーク時間情報抽出部３４、送信装置４で再パケット化されて送信されるアイソクロナスパケット２２からＭＰＥＧ２−ＴＳパケットを抽出する同期データ抽出部３５、ＤＴＶ１内部でのＭＰＥＧ２−ＴＳパケット同士の相対的な時間間隔、つまり時間軸を復元する時間軸復元部３６とを備える。
【００３９】
さらに、この受信装置７は第２の１３９４バス６に接続するための第２の１３９４バスインターフェース部（第２の１３９４バスＩ／Ｆ部）３７をも備える。
【００４０】
次に、受信装置７の動作を説明する。無線ネットワーク５上を伝送されてきたパケットを第２の無線ネットワークＩ／Ｆ部３１で受信する。他ネットワーク時刻情報抽出部３２では、タグ付加部１３で付加されたタグから時間情報を抽出する。このとき、同時に周期に関する情報が付加されていた場合は、タイマー部３３へと出力する。タイマー部３３では、１２５μｓ毎に時間情報をロードすることで、第１の１３９４バス３上のサイクルタイマーの時刻と同期させる。
【００４１】
一方、他ネットワーク時間情報抽出部３４では、フレーム期間２４（図３（ｂ））の中に格納されているアイソクロナスパケット２２からＭＰＥＧ２−ＴＳパケット毎に付加されているソースパケットヘッダを抽出する。同期データ抽出部３５では、フレーム期間２４の中に格納されているアイソクロナスパケット２２からＭＰＥＧ２−ＴＳパケットだけを抽出する。
【００４２】
さらに、時間軸復元部３６では、タイマー部３３が示す時刻を基準として、他ネットワーク時間情報抽出部３４で示されるタイミングで、時間情報が付加されていたそれぞれのＭＰＥＧ２−ＴＳパケットを第２の１３９４バスＩ／Ｆ部３７へと出力される。第２の１３９４バスＩ／Ｆ部３７では、入力されてきたＭＰＥＧ２−ＴＳパケットをＩＥＣ６１８８３規格とＩＥＥＥ１３９４規格に則った処理を行い、第２の１３９４バス６へと出力する。
【００４３】
上述の通り、この受信装置７は、他ネットワーク時刻情報抽出部３２とタイマー部３３と他ネットワーク時間情報抽出部３４と時間軸復元部３６とを新たに付加したことで、第１の１３９４バス３から中継されて無線ネットワーク５上に伝送されてきた同期データに対して、ジッタを吸収するためのバッファの容量を削減することができ、受信装置７が簡略化できる。
【００４４】
本発明ではその主旨を逸脱しない範囲であれば、上記の実施形態に限定されるものではない。
【００４５】
【発明の効果】
以上詳述した発明によれば、送信側で同期データ伝送のための処理が簡略化でき、受信側の装置が簡略化できる送受信装置および送受信方法並びにネットワークを提供することが可能となる。
【図面の簡単な説明】
【図１】  本発明の実施の態様に基づくネットワークを示すブロック図。
【図２】  図１の送信装置の構成を示すブロック図。
【図３】  図２の送信装置の動作を示す模式図。
【図４】  図１の受信装置の構成を示すブロック図。
【符号の説明】
１…デジタルテレビ（ＤＴＶ）、
２…デジタルレコーダ（Ｄ−ＶＨＳ）、
３…第１の１３９４バス、
４…送信装置、
５…無線ネットワーク、
６…第２の１３９４バス、
７…受信装置、
１１…第１の１３９４バスインターフェース部、
１２…時刻情報抽出部、
１３…タグ付加部、
１４…同期パケット抽出部、
１５…パケット生成部、
１６…第１の無線ネットワークインターフェース部、
２１…サイクルスタートパケット、
２２…アイソクロナスパケット、
２３…フレームシンク、
２４…フレーム期間、
２５…ＭＰＥＧ２−ＴＳパケット、
２６…ソースパケットヘッダ、
２７…ＣＩＰヘッダ、
２８…アイソクロナスパケットヘッダ、
３１…第２の無線ネットワークインターフェース部、
３２…他ネットワーク時刻情報抽出部、
３３…タイマー部、
３４…他ネットワーク時間情報抽出部、
３５…同期データ抽出部、
３６…時間軸復元部、
３７…第２の１３９４バスインターフェース部。
【図１】
0003827297.tif 000002
【図２】
0003827297.tif 000003
【図３】
0003827297.tif 000004
【図４】
0003827297.tif 000005